(57)【要約】【課題】  画像プリント装置の落書きにおいて、利用者が一度線描した線の色、太さ、装飾模様などを、操作に応じて変更し、所望の結果を短時間で得られるようにすること。【解決手段】  表示された被写体像に対して利用者が描画した線描模様の、表現形態の変更を指定する手段と、描画されている線描模様のうちで、利用者が表現形態の変更を指定した線描模様を検知する手段と、利用者が表現形態の変更を指定した線描模様を、利用者が変更を指定した表現形態による線描模様に置き換える手段とを、具備する。【選択図】      図９
2005130396.tif 000002
【特許請求の範囲】
【請求項１】
被写体を撮影するカメラと、表示された被写体像に対する編集操作を行うための表示・入力手段と、編集された被写体像を写真シールに印刷して出力する出力手段とを、備えた画像プリント装置において、
前記表示された被写体像に対して利用者が描画した線描模様の、表現形態の変更を指定する手段と、
描画されている線描模様のうちで、利用者が表現形態の変更を指定した線描模様を検知する手段と、
利用者が表現形態の変更を指定した線描模様を、利用者が変更を指定した表現形態による線描模様に置き換える手段とを、
具備したことを特徴とする画像プリント装置。
【請求項２】
請求項１記載の画像プリント装置において、
前記した線描模様の表現形態の変更は、線の模様表現であるペンツール種別の変更、線の色の変更、線の太さの変更のうちの、少なくとも１つであることを特徴とする画像プリント装置。
【請求項３】
請求項１または２に記載の画像プリント装置において、
前記した利用者が表現形態の変更を指定した線描模様を検知する手段は、利用者がタッチペンを用いて指定した閉曲線内に少なくとその一部が含まれる線描模様を、表現形態の変更対象として抽出することを特徴とする画像プリント装置。
【請求項４】
請求項１または２に記載の画像プリント装置において、
前記した利用者が表現形態の変更を指定した線描模様を検知する手段は、利用者がタッチペンを用いて指定した軌跡と交わる線描模様、もしくは、利用者がタッチペンを用いて指した点と重なる線描模様を、表現形態の変更対象として抽出することを特徴とする画像プリント装置。
【請求項５】
請求項１または２に記載の画像プリント装置において、
前記した利用者が表現形態の変更を指定した線描模様を検知する手段は、利用者がタッチペンを用いて指定した閉曲線内に少なくとその一部が含まれる線描模様のうちで、利用者がタッチペンを用いて指定した軌跡と交わる線描模様、もしくは、利用者がタッチペンを用いて指した点と重なる線描模様を、表現形態の変更対象として抽出することを特徴とする画像プリント装置。
【発明の詳細な説明】
【技術分野】
【０００１】
本発明は、アミューズメント施設などに設置され、利用者の全身または上半身像を撮影して、被写体像を含む画像データをシール紙に印刷するようにした画像プリント装置に係り、特に、撮影した被写体像に対して利用者が好みの線描を行い、この線描データを被写体像に合成してプリント出力できる機能を有する画像プリント装置に関するものである。
【背景技術】
【０００２】
この種の画像プリント装置には、タッチパネル付きの液晶モニタ（表示・入力手段）上に撮影した被写体像を表示し、この表示された被写体像に対して、利用者がタッチペンを用いて線描で「落書き」と称される線描模様（線による飾り模様や、文字や、塗りつぶし等）を書き込み、この線描模様と被写体像とを合成した画像データを、シール紙にプリント出力できるようにした機能をもつ機種が、広く出回っている（例えば、特許文献１参照）。
【特許文献１】特開２００３−３７８１３号公報
【発明の開示】
【発明が解決しようとする課題】
【０００３】
ところで、最近の画像プリント装置においては、利用者がタッチペンを用いて「落書き」を行う際には、タッチペンによる入力軌跡を単なる普通の線による線描模様として表現するだけではなく、線の模様表現であるペンツールの種別を選択することによって、タッチペンによる入力軌跡を、鎖が繋がった線描模様、葉や花が点在した蔦や茎による線描模様、等々の数多くの線描模様（デコレーションを施した線による模様）として表現できるようにしている。また、線描模様における線の色や、線の太さも自由に選択できるようになっている。したがって、線描模様の表現形態を好みに応じたものに選択できるので、プリント出力される写真シールに合成するための「落書き」の表現のバリエーションが広がり、利用者は「落書き」の独自性を容易に演出でき、装飾効果の高い「落書き」を合成した写真シールを楽しむことができる。
【０００４】
しかしながら、従来の画像プリント装置においては、利用者がタッチペンを用いて被写体像に線描した線描模様のうちの一部を、他のペンツール種別などによる他の表現形態に変更しようとした際には、一度線描した全ての線描模様を一括消去してから、タッチペンを用いて最初から線描を行うか、あるいは、変更したい線描模様だけを「消しゴム」機能を用いて消去して、新たな表現形態の指定によるタッチペンでの線描を行う必要があった。このため、一度線描した線描模様のうちの一部の表現形態の変更には、相当の時間と手間がかかるという問題があった。このことは、写真シール自販機に適用される画像プリント装置にあっては、「落書き」編集の時間が制限されていることから、利用者の使い勝手の点で大いに問題である。
【０００５】
本発明は上記のような事情に鑑みなされたもので、その目的とするところは、「落書き」機能をもつ画像プリント装置において、利用者が被写体像に線描した線描模様のうちの一部を、他の表現形態に変更する時間を、できるだけ短くできるようにすることにある。
【課題を解決するための手段】
【０００６】
上記した目的を達成するため、本願による画像プリント装置では、
表示された被写体像に対して利用者が描画した線描模様の、表現形態の変更を指定する手段と、
描画されている線描模様のうちで、利用者が表現形態の変更を指定した線描模様を検知する手段と、
利用者が表現形態の変更を指定した線描模様を、利用者が変更を指定した表現形態による線描模様に置き換える手段とを、
具備する。
【発明の効果】
【０００７】
本発明によれば、利用者が被写体像に線描した線描模様のうちの一部または全てを、他の表現形態に変更する際に、一度線描した線描模様を消去する操作が不要となり、一度描いた線描模様を他の表現形態に変更するための時間を、従来に比べて大幅に短縮することが可能となる。したがって、利用者はたとえ「落書き」編集の時間が制限されていても、その時間内で所望の「落書き」編集を容易に行うことができ、利用者にとって使い勝手に優れた画像プリント装置を実現することができる。
【発明を実施するための最良の形態】
【０００８】
以下、本発明の実施の形態を、図面を用いて説明する。
【０００９】
図１は、本発明の一実施形態（以下、本実施形態と記す）に係る画像プリント装置の装置本体の正面図（被写体（利用者）側から装置本体を見た図）であり、本実施形態の画像プリント装置の装置本体は、移動可能に構成されている。なお、画像プリント装置全体は、装置本体などを収納して撮影空間を形づくる枠体や、被写体の背景を演出する背景装置などを含んで構成されるものであるが、枠体や背景装置などは、本発明と直接関係しない構成要素なので、ここではその説明は割愛する。
【００１０】
図１において、１は、装置本体の正面の中央上寄りの位置に配置され、被写体の全身が撮影可能なカメラ（デジタルカメラ）、２は、カメラ１の下側に配置され、撮影している被写体画像などをリアルタイムで表示する液晶モニタで、被写体を撮影するときに、実際に写っている画像を被写体自身（利用者自身）が確認するために用いられる。つまり、利用者は、撮影のときに液晶モニタ装置２に表示される自分の像を見ながら、立つ位置やポーズ、顔の位置などを調整、確認できるようになっている。
【００１１】
３−１、３−２、３−３は、装置本体の正面の上部および左右に配置され、被写体の正面側に対して照明光を照射するストロボで、このストロボ３−１、３−２、３−３は、カメラ１で写真シール作成用の被写体像の画像データを撮影して、後記ＰＣ８に取り込むときのみ発光し、その光の強さによって撮影する画像の明るさを調整できるようになっている。４−１、４−２、４−３は、装置本体の正面の上部および左右に配置されて常時点灯する照明ライト（蛍光灯など）で、利用者が撮影室内を見渡せるように撮影室内を照らすようになっている。
【００１２】
５は、装置本体の正面の略中央に配置されたタッチパネル付き液晶モニタ（表示・入力手段）で、このタッチパネル付き液晶モニタ５の表示画面上には、操作用画面、進行状況、ガイダンスなどが適宜に切り替え表示されるようになっている。また、タッチパネル付き液晶モニタ５は、デジタイザ（座標入力装置）の機能を備えており、例えば表示画面に表示されたボタンなどのアイコンを、利用者がタッチペン６でタッチすると、その位置が検出されて、タッチした位置に表示されたアイコンに割り当てられた機能または動作が開始されるようになっている。つまり、タッチパネル付き液晶モニタ５の表示画面を用いて、各種の動作指示や情報選択指示などの入力操作が行えるようになっており、後述する「落書き」編集の操作も、タッチパネル付き液晶モニタ５とタッチペン６を用いて行われるようになっている。
【００１３】
また、８は画像プリント装置の全体制御を司るシステムコントローラとしてのＰＣ（パーソナルコンピュータ）で、課金管理制御、撮影制御、照明制御、撮影画像を加工または編集したり利用者に「落書き」機能を提供したりする画像編集制御、印刷制御等々の、各種の制御を実行する。すなわち、ＰＣ８は、装置本体内の各部と協働して、各種の機能手段を実現する。９は、ＰＣ８からの画像データの出力を受けて、これにより被写体像を含む画像をシール紙に印刷するプリンタで、印刷して作成した写真シールを用紙排出口へ搬送して、利用者に受け取らせるようになっている。
【００１４】
また、１０は金銭投入口を備えた課金装置で、利用料金の投入を受け付けて、収納するようになっている。なお、課金装置１０は、無料設定時を考慮し、取り外し可能なものとしてもよい。１１はスピーカで、操作中の音楽や効果音、ガイダンスの音声などを出力する。１２はＵＳＰ（無停電電源装置）で、ＰＣ８に電力を供給すると共に、電源断時には、ＰＣ８に対して安全にシャットダウンをするように、制御信号の入出力の制御を行うようになっている。１３は制御ボックスで、ＰＣ８と、ストロボ３−１〜３−３、照明ライト４−１〜４−３、課金装置１０、各種スイッチ１４などの各種ハードウェアとの間での、制御信号の入出力の制御を行う。１５は、装置本体の底面に設けられたキャスタロールで、装置本体の移動時に使用し、位置決定後はロックされるようになっている。
【００１５】
図２は、本実施形態の画像プリント装置の装置本体のハードウェア構成を示すブロック図であり、同図において、図１の構成要素と同一の構成要素には同一符号を付してある。図２では、ＰＣ８を含む各ハードウェア同士の接続関係と、やりとりされる信号とを示しており、これらについては、図示から明らかであるのでその説明は割愛する。
【００１６】
次に、本実施形態の画像プリント装置の動作について説明する。図３は、本実施形態の画像プリント装置の全体動作の概要を示すフローチャートである。図３に示すように、本実施形態の画像プリント装置の処理の流れは、プレイ開始待ち処理（ステップＳ３１）、撮影条件選択処理（ステップＳ３２）、撮影処理（ステップＳ３３）、撮影画像選択処理（ステップＳ３４）、「落書き」処理（ステップＳ３５）、印刷レイアウト選択処理（ステップＳ３６）、印刷処理（ステップＳ３７）の順に行われるようになっており、この図３に示した一連の処理は、利用者が所定の金額のコインを投入する毎に、繰り返し実行される。
【００１７】
図３に示すように、画像プリント装置は、電源投入により、まずプレイ開始待ち処理を開始する（ステップＳ３１）。このプレイ開始待ちの処理は、利用代金となるコインが投入されるのを待つもので、その詳細は図４を用いて後述する。
【００１８】
プレイ開始待ち処理が終了すると、次に撮影条件選択処理を行う（ステップＳ３２）。この撮影条件選択処理での条件選択は、タッチパネル付き液晶モニタ５の画面上に、ストロボの明るさ度合いなどの撮影条件を示すアイコンを複数表示して、利用者がその中から希望のものをタッチペン６でタッチすることによって行う。利用者が選択した撮影条件はＰＣ８によって認知され、ＰＣ８は選択された撮影条件の設定を行う。
【００１９】
撮影条件選択処理が終了すると、次に撮影処理を行う（ステップ３３）。この撮影処理は、カメラ３で被写体（利用者）を撮影して、撮影した被写体像の画像データを、写真シール作成対象用の画像データとしてＰＣ８に取り込む処理である。
【００２０】
撮影処理が終了すると、次に撮影画像選択処理を行う（ステップＳ３４）。この撮影画像の選択処理は、タッチパネル付き液晶モニタ５の画面上に、撮影してＰＣ８に取り込んだ全ての被写体像の画像データをサムネイル画像として表示し、利用者がその中から好みのものをタッチペン６でタッチして指定することにより、「落書き」の対象とする被写体像を指定する処理である。
【００２１】
撮影画像選択処理が終了すると、次に「落書き」処理を行う（ステップＳ３５）。この「落書き」処理は、タッチパネル付き液晶モニタ５の画面上に、「落書き」の対象となる被写体像や、「落書き」を行うためのツールアイコンなどを表示し、利用者がタッチペン６の操作によって選択したペンツール種別、線の色、線の太さによって、「落書き」対象の被写体像上に利用者がタッチペン６により線描を行って、好みの表現形態の線描模様を書き込んだり、あるいは、線描模様の表現形態の変更を行ったした結果を、被写体像と合成する処理である。利用者が描いた線描模様データの取り込みと、線描模様データと被写体像画像データの合成・保存はＰＣ８が行う。この「落書き」処理は、規定の制限時間に達するか、あるいは、利用者が終了ボタンをタッチすることで終了する。なお、この「落書き」処理の詳細は、図６を用いて後述する。
【００２２】
「落書き」処理が終了すると、次に印刷レイアウト選択処理を行う（ステップＳ３６）。この印刷レイアウトの選択は、タッチパネル付き液晶モニタ５の画面上にレイアウトの見本を示すアイコンを複数表示し、利用者がその中から好みのものをタッチペン６でタッチすることによって行われる。印刷レイアウトの選択結果はＰＣ８によって認知され、これにより、ＰＣ８は印刷条件の設定を行う。
【００２３】
印刷レイアウト選択処理が終了すると、次に印刷処理を行う（ステップＳ３７）。この印刷処理では、ステップＳ３５で作成された合成画像データなどを、ステップＳ３６で選択された印刷レイアウトにしたがって縮小、配置して、これをシール紙に印刷し、印刷して作成した写真シールを用紙排出口へ搬送して、利用者に受け取らせるものである。そして、印刷処理の終了によって一連の処理は終了する。その後、処理はステップＳ３１に戻り、次の利用者によるコイン投入を待つことになる。
【００２４】
図４は、図３のプレイ開始待ち処理のステップＳ３１の詳細を示すフローチャートである。このプレイ開始待ち処理では、まず、ＰＣ８内のコイン投入枚数カウンタ値を「０」にリセットする（ステップＳ４１）。次に、コイン投入待ち（ステップＳ４３）となるが、その間、タッチパネル付き液晶モニタ５の画面上に、製品の特徴紹介などのデモ画面を表示する（ステップＳ４２）。コイン投入が課金装置１０によって検出されたならば、コイン投入枚数のカウンタ値を「１」増やし（ステップＳ４４）、現在のコイン投入枚数をタッチパネル付き液晶モニタ５の画面上に表示する（ステップＳ４５）。この後、コイン投入枚数が規定の利用金額相当の枚数に達したか否かを判定し（ステップＳ４６）、達しているならば、プレイ開始待ち処理を終了する。達していなければ、ステップＳ４２に戻って後続のコインの投入を待つことになる。
【００２５】
図５は、「落書き」処理を行う際にタッチパネル付き液晶モニタ５に表示する画面表示例を示す図である。「落書き」処理を行う際には、図５に示すような各表示内容がタッチパネル付き液晶モニタ５に表示される。
【００２６】
図５において、５０１はサムネイル画像表示部で、図３のステップＳ３３の撮影処理で取り込まれた被写体像が、サムネイル画像として表示されるようになっている。５０２は「落書き」対象の被写体像（被写体像画像データ）の表示部で、図３のステップＳ３４の撮影画像選択処理で指定された被写体像、すなわち、サムネイル画像表示部５０１に表示されたサムネイル画像の中から、利用者がタッチペン６でタッチしたサムネイル画像に対応する被写体像が表示されるようになっている。そして、この「落書き」対象の被写体像の表示部５０２において、「落書き」による線描が可能となっている。
【００２７】
５０３はペンツール種別指定部で、このペンツール種別指定部５０３の所定の部位を利用者がタッチペン６でタッチすることにより、「落書き」する線の模様表現を、例えば通常の線、点線、あるいは、鎖が繋がった線模様、葉や花が点在した蔦や茎による線模様などのようにデコレーションを施した線模様の中から、好みのものを指定できるようになっている。５０４は色指定部（パレット部）で、この色指定部５０４の所定の部位を利用者がタッチペン６でタッチすることにより、「落書き」する線の色を好みのものに指定できるようになっている。５０５は線サイズ指定部で、この線サイズ指定部５０５の所定の部位を利用者がタッチペン６でタッチすることにより、「落書き」する線の太さを好みのものに指定できるようになっている。
【００２８】
５０６は「消しゴム」選択部で、この「消しゴム」選択部５０６を利用者がタッチペン６でタッチすると、タッチペン６を消しゴムとして機能させて、タッチペン６がタッチした箇所やタッチペン６で囲った範囲内の線描模様を消去することができるようになっている。
【００２９】
５０７は処理モード指定部で、この処理モード指定部５０７には、「線を描画」指定欄５０７ａと「線を変更」指定欄５０７ｂとが設けられている。「線を描画」指定欄５０７ａを利用者がタッチペン６でタッチすると線描処理モードとなり、タッチペン６によって被写体像の表示部５０２をなぞった軌跡に応じて、指定したペンツール種別、指定した色、指定した太さ（すなわち、利用者が指定した線描模様の表現態様）で線描模様５１０を表示部５０２上に描けるようになっている。また、「線を変更」指定欄５０７ｂを利用者がタッチペン６でタッチすると、被写体像の表示部５０２上に利用者が既に描いた線描模様５１０の表現態様（ペンツール種別、線の色、線の太さ）を変更できるモードとなるようになっている。なお、線描模様の表現態様の変更手法については後述する。
【００３０】
５０８は残り時間表示部で、この残り時間表示部５０８には、利用者が「落書き」できる残り時間を表示するようになっており、残り時間表示部５０８での残り時間がゼロになると、図３の「落書き」処理のステップＳ３５か終了して、先に述べたように、図３の印刷レイアウト選択処理のステップＳ３６に進むことになる。
【００３１】
５０９は「落書き」終了ボタンで、この「落書き」終了ボタン５０９を利用者がタッチペン６でタッチすると、図３の「落書き」処理のステップＳ３５か終了して、先に述べたように、図３の印刷レイアウト選択処理のステップＳ３６に進むことになる。
【００３２】
図６は、図３の「落書き」処理のステップＳ３５の詳細を示すフローチャートである。この「落書き」処理では、図３の撮影画像選択処理のステップＳ３４の結果を受けて、まず、サムネイル画像から選択された「落書き」対象の被写体像を、タッチパネル付き液晶モニタ５の前記表示部５０２に表示する（ステップＳ６０１）と共に、タッチパネル付き液晶モニタ５に、前記したアイコンや表示部（５０３〜５０９）を初期状態で表示し（ステップＳ６０２）、表示部５０２に対して利用者によるタッチペン６のタッチ入力を受け付け可能な状態に遷移する（ステップＳ６０３）。
【００３３】
次に、利用者による処理モード指定部５０７での処理モードの選択結果を判定し（ステップＳ６０４）、「線を描画」指定欄５０７ａが選択された場合にはステップＳ６０５に進み、「線を変更」指定欄５０７ｂが選択された場合にはステップＳ６０８に進む。
【００３４】
ステップＳ６０５では、利用者によるペンツール種別指定部５０３、色指定部（パレット部）５０４、線サイズ指定部５０５での選択結果を受けて、利用者が指定した落書き属性（ペンツール種別、線の色、線の太さ）をＰＣ８が記憶・設定して、ステップＳ６０６に進む。ステップＳ６０６では、「落書き」対象の被写体像を表示した表示部５０２上を、利用者がタッチペン６を用いてタッチ・線描した座標をＰＣ８が検出して、ＰＣ８は、例えば図７の（ａ）の右側に示したように、線描軌跡の座標７１１〜７１５を、落書き属性に対応付けて記憶する（なお、図７では座標を粗く示したあるが、実際に検出・記憶する座標は、タッチパネル付き液晶モニタ５（デジタイザ）の分解能に応じたものとなる）。次に、ＰＣ８は、ステップＳ６０７において、ステップＳ６０５で記憶した落書き属性、および、ステップＳ６０６で記憶した線描軌跡の座標に基づき、被写体像を表示した表示部５０２上に、例えば図７の（ａ）の左側に示したように、線描模様を表示させる。ステップＳ６０７の処理の後は、ステップＳ６１１に進む。
【００３５】
また、ステップＳ６０８では、表示部５０２上に既に表示されている「落書き」の線描模様のうちで、利用者が表現形態の変更（＝落書き属性の変更）を指定した線描模様の選択結果を受けて（変更対象の線描模様の検出の詳細については後述する）、ＰＣ８が表現形態の変更を指定された線描模様を記憶し、ステップＳ６０９に進む。ステップＳ６０９では、利用者によるペンツール種別指定部５０３、色指定部（パレット部）５０４、線サイズ指定部５０５での変更の選択結果を受けて、ＰＣ８は、例えば図７の（ｂ）の右側に示したように、利用者が指定した落書き属性（ペンツール種別、線の色、線の太さ）を、ステップＳ６０８で記憶した変更対象の線描模様の座標に対応付けて記憶し、ステップＳ６１０に進む。ステップＳ６１０では、ＰＣ８は、ステップＳ６０９で記憶した変更対象の線描模様の座標と変更指定された落書き属性に基づき、表示部５０２上の変更を指定された線描模様を、例えば図７の（ｂ）の左側に示したように、変更指定された表現形態の線描模様として書き替える。ステップＳ６１０の処理の後は、ステップＳ６１１に進む。
【００３６】
ステップＳ６１１では、「落書き」操作は終了であるかどうかを判定し（規定の「落書き」操作が可能な時間が経過したか、または、「落書き」ボタン５０９がタッチされたかを監視し）、操作終了であればステップＳ６１２に進み、そうでなければステップＳ６０４に戻って処理を続行する。
【００３７】
ステップＳ６１２では、ＰＣ８は、例えば図７の（ｃ）に示したような「落書き」対象の被写体像の画像データ７２１と、「落書き」された全ての線描模様の画像データ７２２とを合成した画像データを生成して、これを保持する。そして、ステップＳ６１２の処理の終了により、図３の「落書き」処理のステップＳ３５を終了して、この後は、図３の印刷レイアウト選択処理のステップＳ３６に進むことになる。
【００３８】
図８は、変更対象とする線描模様の検出処理のフローチャートの第１例であり、図９は、この第１例の検出処理と、これに基づく線描模様の表現形態の変更の様子を示す説明図である。
【００３９】
図８の処理フローでは、まず、ステップＳ８０１において、「落書き」対象の被写体像の表示部５０２上を、利用者がタッチペン６でタッチした軌跡に閉曲線（連続する一本の線において交点があるもの）があるかどうかを判定し、閉曲線がある場合にはステップＳ８０２に進み、そうでない場合はステップＳ８０４に進む。
【００４０】
ステップＳ８０２では、閉曲線で囲まれる領域内に少なくとその一部が含まれる線描模様があるかどうかを判定し、閉曲線で囲まれる領域内に少なくとその一部が含まれる線描模様がある場合には、ステップＳ８０３に進み、そうでない場合には、この図８の処理フローの当初に戻る。ステップＳ８０３では、閉曲線で囲まれる領域内に少なくとその一部が含まれる線描模様を全て抽出して、抽出した線描模様を表現形態の変更対象として記憶し、この後はこの図８の処理フローの当初に戻る。
【００４１】
また、ステップＳ８０４では、利用者がタッチペン６でタッチした軌跡と交わる線描模様、あるいは、利用者がタッチペン６で指した点と重なる線描模様があるかどうかを判定し、軌跡と交わる線描模様または指した点と重なる線描模様がある場合には、ステップＳ８０５に進み、そうでない場合には、この図８の処理フローの当初に戻る。なお、利用者がタッチペン６で指した点と重なる線描模様があるかどうかの判定では、指した点を中心とする予め定めた小円と交わる線描模様があるかどうかで、指した点と重なる線描模様があるかどうかを判定する。ステップＳ８０５では、利用者がタッチペン６でタッチした軌跡と交わる線描模様、あるいは、利用者がタッチペン６で指した点と重なる線描模様を、全て抽出して、抽出した線描模様を表現形態の変更対象として記憶し、この後はこの図８の処理フローの当初に戻る。
【００４２】
図９の（ａ）の左側は、タッチペン６による軌跡が閉曲線９１１であり、この閉曲線９１１で囲まれる領域内に少なくとその一部が含まれる線描模様が９０１、９０２であり、閉曲線９１１で囲まれる領域外の線描模様が９０３である場合を示している。この場合には、線描模様の表現形態の変更後は、図９の（ａ）の右側に示すように、線描模様９０１、９０２が線描模様９０１’、９０２’のように書き替えられる。
【００４３】
図９の（ｂ）の左側は、タッチペン６による軌跡９２１と交わる線描模様が９０２、９０３である場合を示している。この場合には、線描模様の表現形態の変更後は、図９の（ｂ）の右側に示すように、線描模様９０２、９０３が線描模様９０２’、９０３’のように書き替えられる。
【００４４】
図９の（ｃ）の左側は、タッチペン６で指した点９３１と重なる線描模様が９０２である場合を示している。この場合には、線描模様の表現形態の変更後は、図９の（ｃ）の右側に示すように、線描模様９０２が線描模様９０２’のように書き替えられる。
【００４５】
図１０は、変更対象とする線描模様の検出処理のフローチャートの第２例であり、図１１は、この第２例の検出処理と、これに基づく線描模様の表現形態の変更の様子を示す説明図である。
【００４６】
図１０の処理フローでは、まず、ステップＳ１００１において、「落書き」対象の被写体像の表示部５０２上を、利用者がタッチペン６でタッチした軌跡に閉曲線があるかどうかを判定し、閉曲線がある場合にはステップＳ１００２に進み、そうでない場合はステップＳ１００５に進む。
【００４７】
ステップＳ１００２では、閉曲線で囲まれる領域内に少なくとその一部が含まれる線描模様があるかどうかを判定し、閉曲線で囲まれる領域内に少なくとその一部が含まれる線描模様がある場合には、ステップＳ１００３に進み、そうでない場合には、この図１０の処理フローの当初に戻る。ステップＳ１００３では、閉曲線で囲まれる領域内に少なくとその一部が含まれる全ての線描模様のうちで、利用者がタッチペン６でタッチした軌跡と交わる線描模様、あるいは、利用者がタッチペン６で指した点と重なる線描模様があるかどうかを判定し、軌跡と交わる線描模様または指した点と重なる線描模様がある場合には、ステップＳ１００４に進み、そうでない場合には、この図１０の処理フローの当初に戻る。ステップＳ１００４では、閉曲線で囲まれる領域内に少なくとその一部が含まれる線描模様のうちで、利用者がタッチペン６でタッチした軌跡と交わる線描模様、利用者がタッチペン６で指した点と重なる線描模様の全てを抽出して、抽出した線描模様を表現形態の変更対象として記憶し、この後はこの図１０の処理フローの当初に戻る。
【００４８】
また、ステップＳ１００５では、利用者がタッチペン６でタッチした軌跡と交わる線描模様、あるいは、利用者がタッチペン６で指した点と重なる線描模様があるかどうかを判定し、軌跡と交わる線描模様または指した点と重なる線描模様がある場合には、ステップＳ１００６に進み、そうでない場合には、この図１０の処理フローの当初に戻る。ステップＳ１００６では、利用者がタッチペン６でタッチした軌跡と交わる線描模様、あるいは、利用者がタッチペン６で指した点と重なる線描模様を、全て抽出して、抽出した線描模様を表現形態の変更対象として記憶し、この後はこの図１０の処理フローの当初に戻る。
【００４９】
図１１の左側は、タッチペン６による軌跡が閉曲線１０１１であり、この閉曲線１０１１で囲まれる領域内に少なくとその一部が含まれる線描模様が１００１、１００２、１００３であり、閉曲線１０１１で囲まれる領域外の線描模様が１００４であり、かつ、領域内に少なくとその一部が含まれる線描模様が１００１、１００２、１００３のうちで、利用者がタッチペン６でタッチした軌跡（この場合は閉曲線１０１１）と交わる線描模様が１００３であり、利用者がタッチペン６で指した点と重なる線描模様が１００１である場合を示している。この場合には、線描模様の表現形態の変更後は、図１１の右側に示すように、線描模様１００１、１００３が線描模様１００１’、１００３’のように書き替えられる。
【図面の簡単な説明】
【００５０】
【図１】本発明の一実施形態に係る画像プリント装置の装置本体の正面図である。
【図２】本発明の一実施形態に係る画像プリント装置の装置本体における、ハードウェア構成を示すブロック図である。
【図３】本発明の一実施形態に係る画像プリント装置における、全体動作の概略を示すフローチャートである。
【図４】本発明の一実施形態に係る画像プリント装置における、プレイ開始待ち処理のフローチャートである。
【図５】本発明の一実施形態に係る画像プリント装置における、「落書き」操作を行う際のタッチパネル付き液晶モニタ上の画面表示例を示す説明図である。
【図６】本発明の一実施形態に係る画像プリント装置における、「落書き」処理のフローチャートである。
【図７】本発明の一実施形態に係る画像プリント装置における、「落書き」処理の様子を示す説明図である。
【図８】本発明の一実施形態に係る画像プリント装置における、変更対象とする線描模様の検出処理の第１例のフローチャートである。
【図９】図８の第１例における検出処理の様子と、これに基づく線描模様の表現形態の変更の様子を示す説明図である。
【図１０】本発明の一実施形態に係る画像プリント装置における、変更対象とする線描模様の検出処理の第２例のフローチャートである。
【図１１】図１０の第２例における検出処理の様子と、これに基づく線描模様の表現形態の変更の様子を示す説明図である。
【符号の説明】
【００５１】
１  カメラ
２  液晶モニタ
３−１、３−２、３−３  ストロボ
４−１、４−２、４−３  照明ライト
５  タッチパネル付き液晶モニタ（表示・入力手段）
６  タッチペン
８  ＰＣ（パーソナルコンピュータ）
９  プリンタ
１０  課金装置
１１  スピーカ
１２  ＵＳＰ（無停電電源装置）
１３  制御ボックス
１４  各種スイッチ
【図１】
2005130396.tif 000003
【図２】
2005130396.tif 000004
【図３】
2005130396.tif 000005
【図４】
2005130396.tif 000006
【図５】
2005130396.tif 000007
【図６】
2005130396.tif 000008
【図７】
2005130396.tif 000009
【図８】
2005130396.tif 000010
【図９】
2005130396.tif 000011
【図１０】
2005130396.tif 000012
【図１１】
2005130396.tif 000013